(57)【要約】【課題】投射画像の画質を安定に確保し、かつ、光変調装置等の光学部品をより効率的に冷却するプロジェクタを提供する。【解決手段】プロジェクタは、環状の空気流通路を有する密閉構造内部に配置される光学部品と、空気流通路の空気を循環させる複数の循環ファンとを備える。密閉構造は、光学部品を収納するとともに、流入口および流出口を有する光学部品用筐体３６と、流入口を介して光学部品用筐体３６内部に空気を導くとともに、流出口を介して外部に流出した空気を再度、流入口を介して光学部品用筐体３６内部に導くダクト部材とを備える。ダクト部材は、複数の循環ファンを空気流通路に対して並列に収納する第１の上流側ダクト部材８３を備える。第１の上流側ダクト部材８３には、複数の循環ファンにて空気が取り込まれる吸入側の空間を、各ファン毎に仕切る吸入側仕切部８３１３が設けられている。【選択図】図１１
2009133988.tif 000002
【特許請求の範囲】
【請求項１】
空気を流通可能とする環状の空気流通路を有する密閉構造内部に配置される光学部品と、前記環状の空気流通路の空気を循環させる循環ファンとを備えたプロジェクタであって、
前記循環ファンは、複数設けられ、
前記密閉構造は、
前記光学部品を収納するとともに、内部に空気を流入させるための流入口および外部に空気を流出させるための流出口を有する光学部品用筐体と、
前記流入口を介して前記光学部品用筐体内部に空気を導くとともに、前記流出口を介して前記光学部品用筐体内部から外部に流出した空気を再度、前記流入口を介して前記光学部品用筐体内部に導くダクト部材とを備え、
前記ダクト部材は、
前記複数の循環ファンを前記空気流通路に対して並列に収納するファン収納部を備え、
前記ファン収納部には、
前記複数の循環ファンにて空気が取り込まれる吸入側の空間を、前記循環ファン毎に仕切る吸入側仕切部が設けられていることを特徴とするプロジェクタ。
【請求項２】
請求項１に記載のプロジェクタにおいて、
前記ファン収納部には、互いに隣接する前記循環ファン同士の間を仕切る隣接仕切部が設けられていることを特徴とするプロジェクタ。
【請求項３】
請求項１または請求項２に記載のプロジェクタにおいて、
前記ファン収納部には、
前記複数の循環ファンにて空気が吐出される吐出側の空間を、前記循環ファン毎に仕切る吐出側仕切部が設けられていることを特徴とするプロジェクタ。
【請求項４】
請求項１から請求項３のいずれか一項に記載のプロジェクタにおいて、
前記複数の循環ファンは、シロッコファンであることを特徴とするプロジェクタ。
【発明の詳細な説明】
【技術分野】
【０００１】
本発明は、空気を流通する環状の空気流通路を有する密閉構造内部に配置される光学部品を備えたプロジェクタに関する。
【背景技術】
【０００２】
従来、光源装置と、光源装置から射出された光束を画像情報に応じて変調して画像光を形成する光変調装置と、画像光を拡大投射する投射光学装置とを備えたプロジェクタが知られている。
このプロジェクタにおいて、光変調装置の表面に塵埃、油煙等が付着すると、投射画像の画質が劣化してしまう。また、液晶パネル等の光変調装置は、一般的に熱に弱いため、光源装置からの光束の照射による発熱により、熱劣化が生じる恐れがある。
そこで、投射画像の画質を安定に確保し、光変調装置を効率的に冷却するために、光変調装置を密閉構造内部に配置し、密閉構造内部の空気を循環ファンにて循環させる構造が提案されている（例えば、特許文献１参照）。
特許文献１に記載の技術では、循環ファンが密閉構造内部に１つ配置されて、光変調装置を冷却している。
【０００３】
【特許文献１】特許第３６１３０３８号公報
【発明の開示】
【発明が解決しようとする課題】
【０００４】
しかしながら、特許文献１に記載の技術では、循環ファンが１つで構成されているため、高輝度の光源装置を使用する場合等、光変調装置等の光学部品をより冷却する必要が生じる際に風量が不足する恐れがある。
【０００５】
本発明の目的は、投射画像の画質を安定に確保し、かつ、光変調装置等の光学部品をより効率的に冷却するプロジェクタを提供することにある。
【課題を解決するための手段】
【０００６】
本発明のプロジェクタは、空気を流通可能とする環状の空気流通路を有する密閉構造内部に配置される光学部品と、前記環状の空気流通路の空気を循環させる循環ファンとを備えたプロジェクタであって、前記循環ファンは、複数設けられ、前記密閉構造は、前記光学部品を収納するとともに、内部に空気を流入させるための流入口および外部に空気を流出させるための流出口を有する光学部品用筐体と、前記流入口を介して前記光学部品用筐体内部に空気を導くとともに、前記流出口を介して前記光学部品用筐体内部から外部に流出した空気を再度、前記流入口を介して前記光学部品用筐体内部に導くダクト部材とを備え、前記ダクト部材は、前記複数の循環ファンを前記空気流通路に対して並列に収納するファン収納部を備え、前記ファン収納部には、前記複数の循環ファンにて空気が取り込まれる吸入側の空間を、前記循環ファン毎に仕切る吸入側仕切部が設けられていることを特徴とする。
【０００７】
本発明によれば、密閉構造を構成する光学部品用筐体内部に光学部品が収納されているので、光学部品に塵埃、油煙等が付着することが抑制され、プロジェクタから投射される投射画像の画質は、安定に確保される。
また、空気流通路の空気を循環させる複数の循環ファンを備えているので、風量を大きくすることができるため、光学部品をより冷却することができる。
さらに、複数の循環ファンは、空気流通路に対して並列に配置されて、ファン収納部に収納されている。そして、複数の循環ファンが空気を取り込む吸入側の空間は、吸入側仕切部によって循環ファン毎に仕切られている。これによって、それぞれの循環ファン同士が吸気しあって逆流させようとする流れが抑制されるので、それぞれの循環ファンは、互いに独立して空気を取り込むことができる。そのため、それぞれの循環ファンは、循環する空気の流速、流量を確保して効率良く空気を取り込み、光学部品を効率良く冷却することができる。
また、投射画像の画質が安定に確保されることおよび光学部品が効率的に冷却されることによって、長寿命化が図れる。
【０００８】
このプロジェクタにおいて、前記ファン収納部には、互いに隣接する前記循環ファン同士の間を仕切る隣接仕切部が設けられていることが好ましい。
【０００９】
本発明によれば、ファン収納部には、互いに隣接する循環ファン同士の間を仕切る隣接仕切部が設けられているので、それぞれの循環ファン同士が、循環ファン自体の隙間等から吸気しあうことが抑制される。これによって、それぞれの循環ファンは、さらに効率良く空気を取り込んで、光学部品用筐体の内部に空気を流出させることが可能となり、光学部品をさらに効率良く冷却することができる。
【００１０】
このプロジェクタにおいて、前記ファン収納部には、前記複数の循環ファンにて空気が吐出される吐出側の空間を、前記循環ファン毎に仕切る吐出側仕切部が設けられていることが好ましい。
【００１１】
本発明によれば、複数の循環ファンが空気を吐出する吐出側の空間は、吐出側仕切部によって循環ファン毎に仕切られている。これによって、それぞれの循環ファンから吐出された空気が押し合って逆流させようとする流れが抑制されるので、それぞれの循環ファンは、循環する空気の流速、流量を確保して、空気を吐出させることができる。このため、冷却すべき光学部品に狙いを定めて光学部品用筐体の内部に空気を流出させることが可能となり、光学部品をさらに効率良く冷却することができる。
【００１２】
このプロジェクタにおいて、前記複数の循環ファンは、シロッコファンであることが好ましい。
【００１３】
本発明によれば、循環ファンは、シロッコファンなので、軸流ファンに比べて吐出圧が高い。これによって、狭い隙間でも空気を流出させることができるので、効率良く光学部品用筐体の開口部に空気を流出させることが可能となり、光学部品を効率良く冷却することができる。
【発明を実施するための最良の形態】
【００１４】
以下、本発明の実施の一形態を図面に基づいて説明する。
〔外観構成〕
図１は、本実施形態におけるプロジェクタ１の外観を示す斜視図である。具体的に、図１は、プロジェクタ１を前面上方側から見た斜視図である。
なお、以下では、説明の便宜上、前面から見て左を「左」とし、前面から見て右を「右」として記載する。
プロジェクタ１は、光源から射出された光束を画像情報に応じて変調して画像光を形成し、形成した画像光をスクリーン（図示略）上に拡大投射するものである。このプロジェクタ１は、外装を構成する外装筐体２を備える。
【００１５】
外装筐体２は、合成樹脂製の筐体であり、プロジェクタ１の装置本体を収納する。この外装筐体２は、図１に示すように、装置本体の上部部分、前面部分の一部、側面部分の一部、および背面部分の一部を覆うアッパーケース２１と、装置本体の下部部分、前面部分の一部、側面部分の一部、および背面部分の一部を覆うロアーケース２２とを備える。
【００１６】
〔内部構成〕
図２および図３は、プロジェクタ１の内部構成を示す斜視図である。具体的に、図２は、図１の状態からアッパーケース２１を取り外した状態を示す斜視図である。図３は、図２の状態から制御基板５を取り外した状態を示す斜視図である。
外装筐体２の内部には、図２または図３に示すように、プロジェクタ１の装置本体が収容されている。そして、この装置本体は、光学ユニット３と、電源ユニット４と、制御基板５（図２）と、筐体内部冷却装置６と、密閉循環空冷ユニット７（図３）とを備える。
【００１７】
〔光学ユニットの構成〕
図４ないし図６は、光学ユニット３の構成を示す図である。具体的に、図４は、光学ユニット３を背面上方側から見た斜視図である。図５は、光学ユニット３を前面下方側から見た斜視図である。図６は、光学ユニット３の光学系を模式的に示す平面図である。
光学ユニット３は、制御基板５による制御の下、画像情報に応じて画像光を形成するものであり、外装筐体２の前面側から背面側に向けて延出し、延出方向先端部分が右側に屈曲して延出し、さらに、前面側に屈曲して延出する平面視略Ｕ字形状を有している。
【００１８】
この光学ユニット３は、図６に示すように、光源ランプ３１１およびリフレクタ３１２を有する光源装置３１と、レンズアレイ３２１，３２２、偏光変換素子３２３、反射ミラー３２４、および重畳レンズ３２５を有する照明光学装置３２と、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４と、光変調装置としての３つの液晶パネル３５１（赤色光側の液晶パネルを３５１Ｒ、緑色光側の液晶パネルを３５１Ｇ、青色光側の液晶パネルを３５１Ｂとする）、３つの入射側偏光板３５２、３つの射出側偏光板３５３、および色合成光学装置としてのクロスダイクロイックプリズム３５４を有する光学装置３５と、光学部品用筐体３６と、投射光学装置としての投射レンズ３７とを備える。
なお、上述した各光学部品３１〜３５，３７については、種々の一般的なプロジェクタの光学系として利用されているため、具体的な説明を省略し、以下では、光学部品用筐体３６の構成を説明する。
【００１９】
光学部品用筐体３６は、図４または図５に示すように、平面視略Ｕ字形状を有し、内部に所定の照明光軸Ａ（図６）が設定され、上述した各光学部品３１〜３５を照明光軸Ａに対する所定位置に配置する。この光学部品用筐体３６は、部品収納部材３６１と、蓋状部材３６２とを備える。
【００２０】
部品収納部材３６１は、光源装置収納部３６１１と、部品収納部本体３６１２とで構成される。
光源装置収納部３６１１は、光学部品用筐体３６のＵ字形状一端側に位置し、下方側に開口部３６１１Ａ（図５）を有する容器状に形成されている。そして、光源装置収納部３６１１には、開口部３６１１Ａを介して、光源装置３１が収納される。
【００２１】
部品収納部本体３６１２は、上方側に開口部（図示略）を有する容器状に形成されている。そして、部品収納部本体３６１２には、前記開口部を介して、光源装置収納部３６１１と接続する一端側から順に、各光学部品３２〜３４が収納され、前記一端側とは反対側の他端側に光学装置３５が収納される。また、部品収納部本体３６１２には、光学装置３５に対向する側面に投射レンズ３７が取り付けられる。
この部品収納部本体３６１２において、下方側端面には、光学装置３５を構成する各液晶パネル３５１Ｒ，３５１Ｇ，３５１Ｂの配置位置に対応した位置にそれぞれ開口部３６１２Ｒ，３６１２Ｇ，３６１２Ｂ（図５）が形成されている。
また、部品収納部本体３６１２において、下方側端面には、偏光変換素子３２３の配置位置に対応した位置に開口部３６１２Ｐ（図５）が形成されている。
これら各開口部３６１２Ｒ，３６１２Ｇ，３６１２Ｂ，３６１２Ｐは、光学部品用筐体３６内部における光学装置３５の配置位置の空間Ａｒ１（図４、図６）、および偏光変換素子３２３の配置位置の空間Ａｒ２（図４、図６）に空気を流入させる流入口として機能する。
【００２２】
蓋状部材３６２は、部品収納部本体３６１２の上方側の開口部分を閉塞する部材であり、部品収納部本体３６１２の平面形状と略同一の平面形状を有する。
この蓋状部材３６２には、光学装置３５の配置位置に対応して、光学装置３５を平面的に囲うようにＵ字状の切り欠き３６２１（図４）が形成されている。
また、蓋状部材３６２には、偏光変換素子３２３の配置位置に対応して開口部３６２２（図４）が形成されている。
これら切り欠き３６２１および開口部３６２２は、上述した各開口部３６１２Ｒ，３６１２Ｇ，３６１２Ｂ，３６１２Ｐを介して光学部品用筐体３６内部における空間Ａｒ１，Ａｒ２に流入された空気を光学部品用筐体３６外部に排出するための流出口として機能する。
【００２３】
なお、具体的な図示は省略したが、光学部品用筐体３６内部において、空間Ａｒ１は、部品収納部本体３６１２に形成されたリブ、入射側偏光板３５２等の光学部品により、隣接する他の空間と連通しないように構成されている。また、同様に、光学部品用筐体３６内部において、空間Ａｒ２は、部品収納部本体３６１２に形成されたリブや、レンズアレイ３２２および重畳レンズ３２５等の光学部品により、隣接する他の空間と連通しないように構成されている。
【００２４】
〔電源ユニットの構成〕
電源ユニット４は、プロジェクタ１の装置本体を構成する各構成部材に電力を供給する。この電源ユニット４は、図２または図３に示すように、外装筐体２における左側の側面に沿って、背面側から前面側にかけて延びるように配置されている。そして、電源ユニット４は、前面側および背面側が開口されたアルミニウム等の金属製のシールド部材４１によって周囲が覆われている。
【００２５】
〔制御基板の構成〕
制御基板５は、図２に示すように、ＣＰＵ（Central Processing Unit）等の回路素子が実装された回路基板として構成され、密閉循環空冷ユニット７の後述する各下流側ダクト部材８１，９１を介して光学ユニット３の上方側に配置される。そして、制御基板５は、プロジェクタ１を構成する各構成部材の動作を制御する。
【００２６】
〔筐体内部冷却装置の構成〕
図７は、筐体内部冷却装置６の構成を示す斜視図である。具体的に、図７は、背面上方側から見た斜視図である。
筐体内部冷却装置６は、外装筐体２内部において、光学部品用筐体３６外部に配置される各構成部材（制御基板５、光源装置３１、電源ユニット４等）を冷却する。この筐体内部冷却装置６は、図７に示すように、吸気ユニット６１と、中継ダクト６２と、電源冷却用ファン６３と、排気ユニット６４とを備える。
【００２７】
吸気ユニット６１は、外装筐体２内部における右背面側の角隅部分に配設され、外装筐体２における右側の側面部分の背面側に形成された第１吸気口（図示略）を介して、外装筐体２外部の冷却空気を内部に導入する。この吸気ユニット６１は、前記第１吸気口を介して冷却空気Airを導入する吸気側ダクト６１１と、吸気側ダクト６１１を介して導入した冷却空気Airを背面側に吐出する吸気ファン６１２とを備える。
【００２８】
中継ダクト６２は、一端が吸気ファン６１２の吐出口に接続し、外装筐体２の背面に沿って電源ユニット４の背面側まで延出する略直方体形状を有する。そして、中継ダクト６２は、吸気ファン６１２から吐出された空気を、流路Ｃ１１を辿って、外装筐体２における右側面側から左側面側に向けて流通させる。
この中継ダクト６２において、前面側の端面には、具体的な図示は省略したが、密閉循環空冷ユニット７の一部を内部に配設するための２つの配設用開口部が左右方向に並列するように形成されている。
【００２９】
また、この中継ダクト６２において、前面側の端面には、右側の前記配設用開口部の上方側に、流路Ｃ１１を辿って流通する空気の一部を外部に排出する冷却用開口部６２１（図２、図３、図７）が形成されている。
この冷却用開口部６２１は、左右方向に延びるように形成され、中継ダクト６２が組み込まれた状態で、その高さ位置が制御基板５と密閉循環空冷ユニット７の後述する第１の下流側ダクト部材８１の上方側端面との間に位置する。そして、冷却用開口部６２１を介して排出された空気は、制御基板５と第１の下流側ダクト部材８１の上方側端面との間の流路Ｃ１２を辿って流通し、制御基板５や第１の下流側ダクト部材８１の上方側端面が冷却される。
【００３０】
電源冷却用ファン６３は、電源ユニット４の背面側に配設され、中継ダクト６２の他端に接続する。そして、電源冷却用ファン６３は、中継ダクト６２を介して吸入した空気を電源ユニット４に向けて吐出する。電源冷却用ファン６３から吐出された空気は、シールド部材４１の背面側の開口部分からシールド部材４１内部に導入され、シールド部材４１内外を連通する流路Ｃ１３を辿って流通し、電源ユニット４を構成する回路素子が冷却される。
【００３１】
排気ユニット６４は、外装筐体２内部における左前面側の角隅部分に配設され、外装筐体２における前面部分の左側に形成された排気口２０１（図１）を介して、外装筐体２内部の空気を外部に排出する。この排気ユニット６４は、内部の空気（流路Ｃ１２，Ｃ１３を辿った空気、光源装置３１近傍の空気）を吸入して吐出する排気ファン６４１と、排気口２０１を介して排気ファン６４１から吐出された空気を外装筐体２外部に排出する排気側ダクト６４２とを備える。
【００３２】
〔密閉循環空冷ユニットの構成〕
図８ないし図１０は、密閉循環空冷ユニット７の構成を示す斜視図である。具体的に、図８は、光学ユニット３に取り付けられた状態を背面上方側から見た斜視図である。図９は、図８の状態から第１の下流側ダクト部材８１、熱交換器８５、カバー部材９１２、および放熱装置９４を取り外した状態を示す図である。図１０は、各上流側ダクト部材８３，９２を背面上方側から見た斜視図である。
なお、図８では、説明の便宜上、カバー部材８１２（図７）を省略している。また、図１０では、光学装置３５（入射側偏光板３５２を除く）との配置関係を示すために、光学装置３５を図示している。
密閉循環空冷ユニット７は、光学部品用筐体３６とともに本発明に係る密閉構造を構成する。この密閉循環空冷ユニット７は、図８に示すように、第１の空冷ユニット８と、第２の空冷ユニット９とを備える。
【００３３】
〔第２の空冷ユニットの構成〕
第２の空冷ユニット９は、光学部品用筐体３６とともに第２の密閉構造を構成し、前記第２の密閉構造内部の第２の空気流通路の空気を循環させて、光学部品用筐体３６における空間Ａｒ２に配置される偏光変換素子３２３を冷却する。この第２の空冷ユニット９は、図８ないし図１０に示すように、第２の下流側ダクト部材９１（図８）と、第２の上流側ダクト部材９２と、第２の循環ファン９３（図１０）と、放熱装置９４（図８）とを備える。
なお、以下では、第２の空気流通路に沿って、空間Ａｒ２に対する上流を「上流」とするとともに空間Ａｒ２に対する下流を「下流」とし、下流側から順に説明する。
【００３４】
第２の下流側ダクト部材９１は、光学部品用筐体３６における空間Ａｒ２から外部に流出した空気を第２の上流側ダクト部材９２に導く部材である。この第２の下流側ダクト部材９１は、図８または図９に示すように、Ｌ字ダクト部９１１と、カバー部材９１２（図８）とを備える。
Ｌ字ダクト部９１１は、図９に示すように、光学部品用筐体３６における偏光変換素子３２３の配設位置近傍の外面形状に対応し、空間Ａｒ２の上方側から蓋状部材３６２の上方側端面に沿って背面側に延出する水平部９１１１と、光学部品用筐体３６の背面に沿って下方側に延出する鉛直部９１１２とを有するＬ字状に形成されている。
【００３５】
ここで、水平部９１１１において、下方側端面には、光学部品用筐体３６の開口部３６２２に対応する位置に、開口部３６２２を介して空間Ａｒ２に連通する連通口９１１１Ａが形成されている。
また、水平部９１１１において、上方側端面には、連通口９１１１Ａに平面的に干渉する位置から背面側に延びる開口部９１１１Ｂが形成されている。
この開口部９１１１Ｂにおける背面側の縁部には、２つの切り欠き９１１１Ｃが形成されている。
【００３６】
カバー部材９１２は、Ｌ字ダクト部９１１の開口部９１１１Ｂを閉塞する板状部材である。
そして、プロジェクタ１が組み立てられることで、光学部品用筐体３６における空間Ａｒ２から外部に流出した空気は、図９に示すように、連通口９１１１Ａを介してＬ字ダクト部９１１内部に導入され、水平部９１１１〜鉛直部９１１２の流路Ｃ２１を辿り、鉛直部９１１２から下方側に向けて排出される。
【００３７】
第２の上流側ダクト部材９２は、光学部品用筐体３６の下方側に配設され、第２の循環ファン９３を内部に収納するとともに、第２の下流側ダクト部材９１内部の流路Ｃ２１を辿って流通した空気を光学部品用筐体３６における空間Ａｒ２に導く部材である。この第２の上流側ダクト部材９２は、図１０に示すように、第２の空気導入部９２１と、カバー部材１１と、ベース部材１２とを備える。
第２の空気導入部９２１は、鉛直部９１１２に接続し、流路Ｃ２１を辿って流通した空気が第２の上流側ダクト部材９２内部に導入される部分である。この第２の空気導入部９２１は、図１０に示すように、上方側に窪んだ平面視略正方形状の凹部９２１１を有する容器状に形成され、容器状の開口側がベース部材１２に取り付けられる。
この凹部９２１１の底部分には、鉛直部９１１２の外形形状に対応した略三角形状を有し、流路Ｃ２１を辿って流通した空気を内部に導入するための連通口９２１２が形成されている。
【００３８】
なお、ベース部材１２は、第１の空冷ユニット８を構成する後述する第１の上流側ダクト部材８３と共通に用いられる部材であり、以下では、ベース部材１２における左側の平面視略正方形状の部位１３（以下、第２ベース部１３と記載する）のみを説明する。
第２ベース部１３は、上方側に窪み互いに連通する収納凹部１３１および排出側凹部１３２を有する容器状に形成されている。
収納凹部１３１は、平面視略正方形状を有し、内部に第２の循環ファン９３が収納されるとともに、底部分の外面に第２の空気導入部９２１が取り付けられる。
【００３９】
ここで、第２の循環ファン９３は、シロッコファンで構成され、前記第２の密閉構造内部の第２の空気流通路に沿って空気を循環させる。そして、第２の循環ファン９３は、吸入口９３１が上方側に向き、吐出口（図示略）が前面側に向くように、収納凹部１３１内部に収納される。
そして、収納凹部１３１において、吸入口９３１に対向する位置には、略円形状の開口部１３１１が形成されている。
【００４０】
排出側凹部１３２は、偏光変換素子３２３の配設位置に対応し、収納凹部１３１よりも前面側に設けられ、収納凹部１３１よりも上方側に膨出している。そして、排出側凹部１３２の底部分には、光学部品用筐体３６の開口部３６１２Ｐに対応し、開口部３６１２Ｐを介して空間Ａｒ２に連通する連通口１３２Ｐが形成されている。
【００４１】
カバー部材１１は、ベース部材１２と同様に、第１の空冷ユニット８を構成する後述する第１の上流側ダクト部材と共通に用いられる部材であり、ベース部材１２（第２ベース部１３）の下方側の開口部分を閉塞する板状部材である。
そして、プロジェクタ１が組み立てられることで、第２の下流側ダクト部材９１から外部に流出した空気は、図１０に示すように、連通口９２１２を介して第２の空気導入部９２１内部に導入され、第２の空気導入部９２１〜収納凹部１３１（第２の循環ファン９３）〜排出側凹部１３２の流路Ｃ２２を辿った後、連通口１３２Ｐおよび開口部３６１２Ｐを介して空間Ａｒ２に導入される。
【００４２】
すなわち、上述した流路Ｃ２１，Ｃ２２、および空間Ａｒ２により前記第２の密閉構造内部の環状の第２の空気流通路が構成される。そして、第２の循環ファン９３により、流路Ｃ２１〜流路Ｃ２２〜空間Ａｒ２〜流路Ｃ２１の環状の第２の空気流通路を辿って空気を流通させることで、空間Ａｒ２内の偏光変換素子３２３が冷却される。
なお、具体的な図示は省略したが、光学部品用筐体３６および第２の空冷ユニット９は、例えば、各部材間に弾性を有するシール部材等が介在されることで前記第２の空気流通路と外部とが連通しない密閉構造を構成している。
【００４３】
放熱装置９４は、前記第２の密閉構造内部の流路Ｃ２１を辿る空気の熱を受熱し、前記第２の密閉構造外部に放熱する装置である。この放熱装置９４は、図８に示すように、２つのヒートパイプ９４１と、放熱部材９４２とを備える。
２つのヒートパイプ９４１は、Ｌ字形状となるように屈曲形成されている。そして、ヒートパイプ９４１は、一方の端部が第２の下流側ダクト部材９１に形成された切り欠き９１１１Ｃを介して第２の下流側ダクト部材９１内部に配置され、カバー部材９１２内面に接続する。
ここで、具体的な図示は省略したが、カバー部材９１２の内面には、金属等の熱伝導性材料から構成される複数のフィン部材を有し、流路Ｃ２１を辿る空気の熱を受熱する受熱部材が設けられている。
そして、２つのヒートパイプ９４１は、一方の端部が前記受熱部材に熱伝達可能に接続し、他方の端部が放熱部材９４２に熱伝達可能に接続する。すなわち、２つのヒートパイプ９４１は、流路Ｃ２１を辿る空気から前記受熱部材に伝達された熱を前記第２の密閉構造内部から外部へと導き、放熱部材９４２に伝達させる。
【００４４】
放熱部材９４２は、外装筐体２における背面側に配設され、ヒートパイプ９４１を介して伝達された熱を放熱する。この放熱部材９４２は、金属等の熱伝導性材料から構成される板状の複数のフィン部材を有し、互いに平行して上下方向に積層配置された構成を有している。そして、２つのヒートパイプ９４１における他方の端部は、上方側から下方側に向けて各フィン部材を貫通し、各フィン部材と熱伝達可能に接続する。
そして、放熱部材９４２は、プロジェクタ１を組み立てた状態で、中継ダクト６２の前記配設用開口部を介して中継ダクト６２内部に配設される。このため、前記受熱部材〜２つのヒートパイプ９４１〜放熱部材９４２の熱伝達経路を辿って放熱部材９４２に伝達された熱は、中継ダクト６２内部の流路Ｃ１１を辿って流通する空気により冷却される。
【００４５】
〔第１の空冷ユニットの構成〕
第１の空冷ユニット８は、光学部品用筐体３６とともに第１の密閉構造を構成し、前記第１の密閉構造内部の第１の空気流通路の空気を循環させて光学部品用筐体３６における空間Ａｒ１に配置される光学装置３５を冷却する。この第１の空冷ユニット８は、図８ないし図１０に示すように、第１の下流側ダクト部材８１（図８）と、接続ダクト部材８２（図９）と、第１の上流側ダクト部材８３と、第１の循環ファン８４（図１０）と、熱交換器８５（図８）とを備える。
なお、以下では、第１の空気流通路に沿って、空間Ａｒ１に対する上流を「上流」とするとともに空間Ａｒ１に対する下流を「下流」とし、下流側から順に説明する。
【００４６】
第１の下流側ダクト部材８１は、光学部品用筐体３６における空間Ａｒ１から外部に流出した空気を接続ダクト部材８２に導く部材である。この第１の下流側ダクト部材８１は、図８に示すように、ダクト本体８１１と、カバー部材８１２（図７）とを備える。
ダクト本体８１１は、空間Ａｒ１の上方側から蓋状部材３６２の上方側端面に沿って背面側に延出し、上方側に開口部８１１１を有する容器状に形成されている。
このダクト本体８１１において、下方側端面には、蓋状部材３６２の切り欠き３６２１に対応する位置に、切り欠き３６２１を介して空間Ａｒ１に連通する連通口８１１２が形成されている。
また、ダクト本体８１１において、下方側端面の背面側には、内部の空気を外部に排出するための矩形状の連通口８１１３が形成されている。
【００４７】
カバー部材８１２は、ダクト本体８１１の開口部８１１１を閉塞する板状部材である。
また、カバー部材８１２には、図７に示すように、各液晶パネル３５１と制御基板５とを接続する各ＦＰＣケーブル３５１Ａを通すための孔８１２１が設けられている。そして、各孔８１２１と各ＦＰＣケーブル３５１Ａとの隙間は、第１の下流側ダクト部材８１内部の密閉性が損なわれないように、ゴム、スポンジ等により封止されている。
【００４８】
そして、プロジェクタ１が組み立てられることで、光学部品用筐体３６における空間Ａｒ１から外部に流出した空気は、図８に示すように、連通口８１１２を介してダクト本体８１１内部に導入され、流路Ｃ３１を辿って背面側に流通し、連通口８１１３を介して下方側に向けて排出される。
【００４９】
接続ダクト部材８２は、光学部品用筐体３６の背面側に配設され、熱交換器８５が設置されるとともに、第１の下流側ダクト部材８１内部の流路Ｃ３１を辿って流通した空気を第１の上流側ダクト部材８３に導く部材である。
この接続ダクト部材８２は、図９に示すように、上下方向に延出する断面略Ｕ字形状を有し、断面Ｕ字状の開口部分が背面側に向くように配設される。そして、接続ダクト部材８２は、断面Ｕ字状の開口部分に熱交換器８５が設置され、熱交換器８５により前記開口部分が閉塞されることで、上下方向に空気を流通可能とする流路Ｃ３２が形成される。
そして、プロジェクタ１が組み立てられることで、接続ダクト部材８２の上方側端部が第１の下流側ダクト部材８１の連通口８１１３の周縁部分に接続し、第１の下流側ダクト部材８１から外部に流出した空気は、流路Ｃ３２を辿って下方側に向けて排出される。
【００５０】
第１の上流側ダクト部材８３は、光学部品用筐体３６の下方側に配設され、第１の循環ファン８４を内部に収納するとともに、接続ダクト部材８２内部の流路Ｃ３２を辿って流通した空気を光学部品用筐体３６における空間Ａｒ１に導く部材である。すなわち、第１の上流側ダクト部材８３は、本発明に係るファン収納部に相当する。なお、第１の上流側ダクト部材８３の内部構造（すなわち、第１の循環ファン８４を内部に収納する収納構造）の詳細については、後述する。この第１の上流側ダクト部材８３は、第１の空気導入部８３１と、カバー部材１１と、ベース部材１２と、を備える。
第１の空気導入部８３１は、接続ダクト部材８２の下方側端部に接続し、流路Ｃ３２を辿って流通した空気が第１の上流側ダクト部材８３内部に導入される部分である。この第１の空気導入部８３１は、図１０に示すように、上方側に窪んだ平面視略楕円形状の凹部８３１１を有する容器状に形成され、容器状の開口側がベース部材１２に取り付けられる。
この凹部８３１１の底部分には、接続ダクト部材８２の外形形状に対応した略矩形形状を有し、流路Ｃ３２を辿って流通した空気を内部に導入するための連通口８３１２が形成されている。
【００５１】
なお、ベース部材１２は、上述したように、第１の空冷ユニット８と共通に用いられる部材であるため、以下では、ベース部材１２における左側の平面視略長方形状の部位１４（以下、第１ベース部１４と記載する）のみを説明する。
第１ベース部１４は、第２ベース部１３と一体形成されたものであり、上方側に窪み互いに連通する収納凹部１４１および排出側凹部１４２を有する容器状に形成されている。
収納凹部１４１は、平面視略長方形状を有し、内部に第１の循環ファン８４（８４１，８４２）が左右方向に並列した状態で収納されるとともに、底部分の外面に第１の空気導入部８３１が取り付けられる。
【００５２】
ここで、第１の循環ファン８４は、前記第１の密閉構造内部の環状の第１の空気流通路に沿って空気を循環させるものであり、Ｂ用シロッコファン８４１およびＲＧ用シロッコファン８４２の２つで構成され、空気流通路に対して並列に配置されている。そして、Ｂ用シロッコファン８４１は、吸入口８４１１が上方側に向き、吐出口８４１２（図１３参照）が前面側に向くように、収納凹部１４１内部に収納される。また、ＲＧ用シロッコファン８４２は、吸入口８４２１が上方側に向き、吐出口８４２２（図１３参照）が前面側から左側に傾斜した状態で、収納凹部１４１内部に収納される。収納凹部１４１において、各吸入口８４１１，８４２１に対応する位置には、略円形状の開口部１４１１，１４１２が形成されている。
そして、第１の空気導入部８３１がベース部材１２に取り付けられることで凹部８３１１と第１ベース部１４との間に形成される空間は、Ｂ用シロッコファン８４１およびＲＧ用シロッコファン８４２が空気を取り込むための吸入側の空間となる。
【００５３】
排出側凹部１４２は、光学装置３５の配設位置に対応し、収納凹部１４１よりも前面側に設けられ、収納凹部１４１よりも上方側に膨出している。そして、排出側凹部１４２の底部分には、光学部品用筐体３６の各開口部３６１２Ｒ，３６１２Ｇ，３６１２Ｂに対応し、各開口部３６１２Ｒ，３６１２Ｇ，３６１２Ｂを介して空間Ａｒ１に連通する連通口１４２Ｒ，１４２Ｇ，１４２Ｂが形成されている。
【００５４】
カバー部材１１は、ベース部材１２における第２ベース部１３の下方側の開口部分を閉塞するとともに、第１ベース部１４の下方側の開口部分を閉塞する。
そして、プロジェクタ１が組み立てられることで、接続ダクト部材８２から外部に流出した空気は、図１０に示すように、連通口８３１２を介して第１の空気導入部８３１内部に導入された後、第１の空気導入部８３１内部に形成された後述する吸入側仕切部８３１３にて２つに分岐される。
吸入側仕切部８３１３にて分岐された一方の空気は、第１の空気導入部８３１から収納凹部１４１（Ｂ用シロッコファン８４１）内部に導入される。そして、第１ベース部１４内部に形成された後述する吐出側仕切部１４１４（図１３参照）によって導かれて排出側凹部１４２の流路Ｃ３３Ｂを辿り、連通口１４２Ｂおよび開口部３６１２Ｂを介して空間Ａｒ１に導入される。
【００５５】
また、吸入側仕切部８３１３にて分岐された他方の空気は、第１の空気導入部８３１から収納凹部１４１（ＲＧ用シロッコファン８４２）内部に導入される。そして、吐出側仕切部１４１４によって導かれて排出側凹部１４２の流路Ｃ３３ＲＧを辿り、連通口１４２Ｒおよび開口部３６１２Ｒを介して空間Ａｒ１に導入されるとともに、連通口１４２Ｇおよび開口部３６１２Ｇを介して空間Ａｒ１に導入される。
【００５６】
すなわち、上述した流路Ｃ３１，Ｃ３２，Ｃ３３Ｂ，Ｃ３３ＲＧ、および空間Ａｒ１により前記第１の密閉構造内部の環状の第１の空気流通路が構成される。そして、第１の循環ファン８４により、流路Ｃ３１〜Ｃ３２〜Ｃ３３Ｂ，Ｃ３３ＲＧ〜空間Ａｒ１〜流路Ｃ３１の環状の第１の空気流通路を辿って空気を流通させることで、空間Ａｒ１内の光学装置３５（液晶パネル３５１、入射側偏光板３５２、射出側偏光板３５３等）が冷却される。
なお、具体的な図示は省略したが、光学部品用筐体３６および第１の空冷ユニット８は、例えば、各部材間に弾性を有するシール部材等が介在されることで前記第１の空気流通路と外部とが連通しない密閉構造を構成している。
【００５７】
熱交換器８５は、接続ダクト部材８２に設置され、前記第１の密閉構造内部の流路Ｃ３２を辿る空気の熱を受熱し、前記第１の密閉構造外部に放熱する装置である。
この熱交換器８５は、接続ダクト部材８２の断面Ｕ字状の開口部分に設置されることで、前面側の部位が接続ダクト部材８２の内側に配設される。そして、熱交換器８５は、前面側の部位にて流路Ｃ３２を辿る空気の熱を受熱し、背面側の部位に伝達させる。
また、熱交換器８５は、プロジェクタ１を組み立てた状態で、中継ダクト６２の前記配設用開口部を介して背面側の部位が中継ダクト６２内部に配設される。このため、熱交換器８５において、前面側の部位から背面側の部位に伝達された熱は、中継ダクト６２内部の流路Ｃ１１を辿って流通する空気により冷却される。
【００５８】
〔第１の上流側ダクト部材の内部構造〕
次に、第１の上流側ダクト部材８３の内部構造について詳細に説明する。
図１１ないし図１４は、第１の上流側ダクト部材８３の内部構造を説明する図であり、背面下方側から見た斜視図である。具体的に、図１１は、第１の空気導入部８３１の内部構造を示す斜視図である。図１２は、図１１の状態からベース部材１２が取り付けられた状態を示す斜視図である。図１３は、図１２の状態からＢ用シロッコファン８４１およびＲＧ用シロッコファン８４２が取り付けられた状態を示す斜視図である。図１４は、図１３の状態からカバー部材１１が取り付けられた状態を示す斜視図である。
【００５９】
先ず、第１の空気導入部８３１の内部構造について説明する。
図１１に示すように、凹部８３１１の内部には、連通口８３１２の略中央部に前面側の面と背面側の面とを繋ぐようにリブ状に突出する吸入側仕切部８３１３が形成されている。吸入側仕切部８３１３は、凹部８３１１の周縁部と同一高さを有し、吸入側仕切部８３１３の背面側の上端（図１１における下端）は、熱交換器８５の端部と当接している。
そして、吸入側仕切部８３１３は、図１２に示すように、第１の空気導入部８３１がベース部材１２に取り付けられることで、開口部１４１１と開口部１４１２との間に位置し、凹部８３１１と第１ベース部１４とで形成された吸入側の空間を仕切っている。つまり、第１ベース部１４の外側に吸入側仕切部８３１３が設けられることによって、Ｂ用シロッコファン８４１およびＲＧ用シロッコファン８４２が空気を取り込む吸入側の空間は、各ファン毎に仕切られている。
【００６０】
次に、第１ベース部１４の内部構造について説明する。
図１２および図１３に示すように、収納凹部１４１の内部には、Ｂ用シロッコファン８４１とＲＧ用シロッコファン８４２との間に、収納凹部１４１の背面側の内面から前面側に向かってリブ状に突出した隣接仕切部１４１３が形成されている。隣接仕切部１４１３は、収納凹部１４１内側の周縁部と同じ高さに、吐出口８４２２の左側縁部近傍まで形成されている。
そして、隣接仕切部１４１３は、カバー部材１１（図１４参照）がベース部材１２に取り付けられることで、Ｂ用シロッコファン８４１とＲＧ用シロッコファン８４２とが隣接している間を空気の通過を抑制するように仕切っている。
【００６１】
収納凹部１４１および排出側凹部１４２の内部には、吐出口８４１２，８４２２の近傍から排出側凹部１４２の内部に亘ってリブ状に突出した吐出側仕切部１４１４が、隣接仕切部１４１３の端面と同じ高さに形成されている。
吐出側仕切部１４１４は、Ｂ用仕切部１４１４Ａ、ＲＧ用仕切部１４１４Ｂを有している。
Ｂ用仕切部１４１４Ａは、吐出口８４１２の右側縁部近傍から前面側に向かってクランク状に延出している。より具体的に、Ｂ用仕切部１４１４Ａは、連通口１４２Ｂと連通口１４２Ｇとの間を通り、連通口１４２Ｂの右側の内面に倣って、排出側凹部１４２内部の前面に繋がっている。
ＲＧ用仕切部１４１４Ｂは、隣接仕切部１４１３と繋がり、吐出口８４２２の左側縁部近傍から前面側に向かってクランク状に延出している。より具体的に、ＲＧ用仕切部１４１４Ｂは、連通口１４２Ｂと連通口１４２Ｇとの間を通り、連通口１４２Ｇの前面側の内面に倣い、さらに連通口１４２Ｒの左側の内面に倣って、排出側凹部１４２内部の前面に繋がっている。
そして、吐出側仕切部１４１４は、カバー部材１１がベース部材１２に取り付けられることで、Ｂ用シロッコファン８４１およびＲＧ用シロッコファン８４２が空気を吐出する収納凹部１４１内部の吐出側の空間をファン毎に仕切っている。
【００６２】
また、収納凹部１４１および排出側凹部１４２の内部には、吐出口８４２２の右側縁部近傍から連通口１４２Ｇと連通口１４２Ｒとの間を通り、ＲＧ用仕切部１４１４Ｂと繋がる案内リブ１４１６が吐出側仕切部１４１４の端面と同じ高さに形成されている。また、案内リブ１４１６の平面視で連通口１４２Ｇと連通口１４２Ｒとの間には、切欠き１４１６Ｃが形成されている。
【００６３】
図１５は、排出側凹部１４２を上方側から見た平面図である。
図１３および図１５に示すように、連通口１４２Ｒ、１４２Ｇ、１４２Ｂには、平面視でそれぞれ液晶パネル３５１Ｒ，３５１Ｇ，３５１Ｂ（図１０参照）に略平行になるようにリブ１４１５Ｒ，１４１５Ｇ，１４１５Ｂがそれぞれ形成されている。
リブ１４１５Ｂ，１４１５Ｒは、排出側凹部１４２の周縁部よりも高さが低く形成されており、カバー部材１１がベース部材１２に取り付けられた際には、カバー部材１１の底面との間に空気が通るように設定されている。リブ１４１５Ｇは、排出側凹部１４２の周縁部と同一の高さに設定され、左側には切欠き１４１５ＧＣが形成されている。そして、カバー部材１１がベース部材１２に取り付けられた際には、カバー部材１１の底面と切欠き１４１５ＧＣとの間に空気が通るように設定されている。
【００６４】
次に、Ｂ用シロッコファン８４１およびＲＧ用シロッコファン８４２から吐出された空気が連通口１４２Ｒ、１４２Ｇ、１４２Ｂから排出されるまでの空気の流れについて説明する。
図１３に示すように、Ｂ用シロッコファン８４１から吐出された空気は、Ｂ用仕切部１４１４Ａにて仕切られた空間を通って（流路Ｃ３３Ｂ）、連通口１４２Ｂから排出される。連通口１４２Ｂから排出される際に、一部の空気は、リブ１４１５Ｂとカバー部材１１の底面との間を通ることによって、風量が前後方向に略均等化するように整流される。そして、整流された空気は、液晶パネル３５１Ｂ、入射側偏光板３５２および射出側偏光板３５３に対してそれぞれ平面上、略均等に吹き付けられる。
【００６５】
ＲＧ用シロッコファン８４２から吐出された空気は、ＲＧ用仕切部１４１４Ｂにて仕切られた空間を通って（流路Ｃ３３ＲＧ）、切欠き１４１５ＧＣを通る。切欠き１４１５ＧＣを通った空気は、その一部が連通口１４２Ｇから排出され、残りの空気は、切欠き１４１６Ｃを通って、連通口１４２Ｒから排出される。
切欠き１４１５ＧＣが液晶パネル３５１Ｇに対して左側に形成されているので、切欠き１４１５ＧＣを通って連通口１４２Ｇに向かう空気は、液晶パネル３５１Ｇ、入射側偏光板３５２および射出側偏光板３５３に対してそれぞれ左側面下方側から対角線上に吹き付けられる。このため、液晶パネル３５１Ｇ、入射側偏光板３５２および射出側偏光板３５３には、平面上、空気が略均等に吹き付けられる。
切欠き１４１６Ｃを通って、連通口１４２Ｒから排出される空気も同様に、液晶パネル３５１Ｒ、入射側偏光板３５２および射出側偏光板３５３に対してそれぞれ側面下方側から対角線上に吹き付けられる。このため、液晶パネル３５１Ｒ、入射側偏光板３５２および射出側偏光板３５３には、平面上、空気が略均等に吹き付けられる。
【００６６】
以上説明したように、本実施形態のプロジェクタ１によれば、以下の効果を得ることができる。
（１）密閉構造を構成する光学部品用筐体３６内部に光学部品が収納されているので、液晶パネル３５１等の光学部品に塵埃、油煙等が付着することが抑制され、プロジェクタ１から投射される投射画像の画質は、安定に確保される。
【００６７】
（２）第１の空気流通路の空気を循環させる循環ファン８４として、Ｂ用シロッコファン８４１およびＲＧ用シロッコファン８４２の２つのファンを備えているので、風量を大きくすることができるため、光学部品をより冷却することができる。
【００６８】
（３）Ｂ用シロッコファン８４１およびＲＧ用シロッコファン８４２は、第１の空気流通路に対して並列に配置されて、第１ベース部１４に収納されている。そして、第１ベース部１４の外側に吸入側仕切部８３１３が設けられることによって、Ｂ用シロッコファン８４１およびＲＧ用シロッコファン８４が空気を取り込む吸入側の空間は、それぞれのファン毎に仕切られる。これによって、Ｂ用シロッコファン８４１およびＲＧ用シロッコファン８４２同士が吸気しあって逆流させようとする流れが抑制されるので、それぞれのファンは、互いに独立して空気を取り込むことができる。そのため、Ｂ用シロッコファン８４１およびＲＧ用シロッコファン８４２は、流速、流量を確保して効率良く空気を取り込み、光学部品用筐体３６の開口部３６１２Ｒ，３６１２Ｇ，３６１２Ｂに空気を流出させることが可能となり、液晶パネル３５１等の光学部品を効率良く冷却することができる。
また、Ｂ用シロッコファン８４１およびＲＧ用シロッコファン８４２が互いに独立して空気を取り込むことができるので、乱流が抑制されて、低騒音化が図れる。
【００６９】
（４）投射画像の画質が安定に確保されることおよび光学部品が効率的に冷却されることによって、長寿命化が図れる。
【００７０】
（５）第１ベース部１４には、Ｂ用シロッコファン８４１とＲＧ用シロッコファン８４２とが隣接する間を仕切る隣接仕切部１４１３が設けられているので、それぞれのファン同士が、ファン自体の隙間等から吸気しあうことが抑制される。これによって、Ｂ用シロッコファン８４１およびＲＧ用シロッコファン８４２は、さらに効率良く空気を取り込んで、光学部品用筐体３６の内部に空気を流出させることが可能となり、光学部品をさらに効率良く冷却することができる。また、乱流が抑制されるので、さらに低騒音化が図れる。
【００７１】
（６）Ｂ用シロッコファン８４１およびＲＧ用シロッコファン８４２が空気を吐出する吐出側の空間は、吐出側仕切部１４１４によってファン毎に仕切られている。これによって、Ｂ用シロッコファン８４１およびＲＧ用シロッコファン８４２から吐出された空気が押し合って逆流させようとする流れが抑制されるので、Ｂ用シロッコファン８４１およびＲＧ用シロッコファン８４２は、流速、流量を確保して、空気を開口部３６１２Ｒ，３６１２Ｇ，３６１２Ｂに流出させることができる。このため、冷却すべき光学部品に狙いを定めて光学部品用筐体３６の内部に空気を流出させることが可能となり、光学部品をさらに効率良く冷却することができる。また、乱流が抑制されるので、さらに低騒音化が図れる。
【００７２】
（７）Ｂ用シロッコファン８４１およびＲＧ用シロッコファン８４２は、シロッコファンなので、軸流ファンに比べて吐出圧が高い。これによって、リブ１４１５Ｒ，１４１５Ｇ，１４１５Ｂ等を形成することによって生じる狭い隙間でも空気を流出させることができるので、効率良く光学部品用筐体の開口部３６１２Ｒ，３６１２Ｇ，３６１２Ｂに空気を流出させることが可能となり、光学部品を効率良く冷却することができる。
【００７３】
（８）連通口１４２Ｒ、１４２Ｇ、１４２Ｂには、平面視でリブ１４１５Ｒ，１４１５Ｇ，１４１５Ｂがそれぞれ形成されている。そして、リブ１４１５Ｒ，１４１５Ｇ，１４１５Ｂは、空気の流れを変えて液晶パネル３５１等の光学部品の表面に略均等に導くので、さらに効率良く光学部品を冷却することが可能となる。
【００７４】
〔実施形態の変形〕
本発明は、前述の実施形態に限定されるものではなく、本発明の目的を達成できる範囲での変形、改良等は本発明に含まれるものである。
前記実施形態の第１の上流側ダクト部材８３は、光学部品用筐体３６の下方側に配設され、第１の循環ファン８４が光学用筐体３６の流入口（開口部３６１２Ｒ，３６１２Ｇ，３６１２Ｂ）に空気を流出させているが、この位置に限定されるものではなく、第１の空気流通路内にあればよい。
【００７５】
前記実施形態の吸入側仕切部８３１３は、第１ベース部１４に一体的に形成されていてもよい。また、吸入側仕切部８３１３は、連通口８３１２の略中央部に形成されているが、流路Ｃ３３Ｂと流路Ｃ３３ＲＧとに送風する空気の流速や流量を適切に配分するために、左右で開口の広さが異なるように吸入側仕切部８３１３の位置を設定してもよい。
【００７６】
前記実施形態の第１の循環ファン８４は、３つ以上で構成されていてもよい。
【００７７】
前記実施形態の光学装置３５は、透過型の液晶パネル３５１を用いているが、反射型の液晶パネルを利用したものや、マイクロミラーを用いたデバイス等を使用したものであってもよい。
【産業上の利用可能性】
【００７８】
本発明は、投射画像の画質を安定に確保し、かつ、光変調装置等の光学部品をより効率的に冷却することができるので、企業内でのプレゼンテーションや、家庭内での映画鑑賞等の種々に用いられているプロジェクタに利用することができる。
【図面の簡単な説明】
【００７９】
【図１】本実施形態におけるプロジェクタの外観を示す斜視図。
【図２】図１の状態からアッパーケースを取り外した状態を示す斜視図。
【図３】図２の状態から制御基板を取り外した状態を示す斜視図。
【図４】光学ユニットを背面上方側から見た斜視図。
【図５】光学ユニットを前面下方側から見た斜視図。
【図６】光学ユニットの光学系を模式的に示す平面図。
【図７】筐体内部冷却装置の構成を示す斜視図。
【図８】密閉循環空冷ユニットの構成を示す斜視図。
【図９】図８の状態から第１の下流側ダクト部材、熱交換器、カバー部材、および放熱装置を取り外した状態を示す図。
【図１０】上流側ダクト部材を背面上方側から見た斜視図。
【図１１】第１の空気導入部の内部構造を示す斜視図。
【図１２】図１１の状態からベース部材が取り付けられた状態を示す斜視図。
【図１３】図１２の状態からＢ用シロッコファンおよびＲＧ用シロッコファンが取り付けられた状態を示す斜視図。
【図１４】図１３の状態からカバー部材が取り付けられた状態を示す斜視図。
【図１５】排出側凹部の近傍を上方側から見た平面図。
【符号の説明】
【００８０】
１…プロジェクタ、１１…カバー部材、１２…ベース部材、１４…第１ベース部、３６…光学部品用筐体、８３…第１の上流側ダクト部材、８４…第１の循環ファン、１４１…収納凹部、１４２…排出側凹部、８４１…Ｂ用シロッコファン、８４２…ＲＧ用シロッコファン、１４２Ｒ，１４２Ｇ，１４２Ｂ…連通口、３５１，３５１Ｒ，３５１Ｇ，３５１Ｂ…液晶パネル、１４１３…隣接仕切部、１４１４…吐出側仕切部、１４１４Ａ…Ｂ用仕切部、１４１４Ｂ…ＲＧ用仕切部、３６１２Ｒ，３６１２Ｇ，３６１２Ｂ…開口部、８３１３…吸入側仕切部。
【図１】
2009133988.tif 000003
【図２】
2009133988.tif 000004
【図３】
2009133988.tif 000005
【図４】
2009133988.tif 000006
【図５】
2009133988.tif 000007
【図６】
2009133988.tif 000008
【図７】
2009133988.tif 000009
【図８】
2009133988.tif 000010
【図９】
2009133988.tif 000011
【図１０】
2009133988.tif 000012
【図１１】
2009133988.tif 000013
【図１２】
2009133988.tif 000014
【図１３】
2009133988.tif 000015
【図１４】
2009133988.tif 000016
【図１５】
2009133988.tif 000017